(57)【特許請求の範囲】
【請求項１】
合成樹脂で一体に成形された外箱と、断熱材を介して外箱内に収納された、同じく、合成樹脂で一体に成形された中仕切り内箱とからなる中仕切り付き保冷・保温容器において、収容物が収容される区画空間を、角柱状空間部とほぼ逆角錐台状空間部とにより構成するとともに、区画空間を構成する内箱本体の周壁、区画板及び区画底部の肉厚を、ほぼ同じ肉厚に形成したことを特徴とする中仕切り付き保冷・保温容器。
【請求項２】
区画底部を形成する傾斜筒部と水平底部との間に存在する彎曲部分が、区画空間に収容される収容物の下部角部にほぼ沿うように、彎曲部分の曲率半径を大きくしたことを特徴とする請求項１に記載の中仕切り付き保冷・保温容器。
【発明の詳細な説明】
【０００１】
【発明の属する技術分野】
本発明は、保冷或いは保温される壜や缶や紙パック等の収容物を、互いにぶつからないように、間仕切りにより仕切られた空間に収容するための中仕切り付き保冷・保温容器に関するものである。
【０００２】
【従来の技術】
従来、図７及び図８に示されているように、箱状に成形された断熱部材１が、合成樹脂で一体に成形された中仕切り内箱２と、同じく合成樹脂で一体に成形された外箱３との間に挿入された中仕切り付き保冷・保温容器が知られている。そして、中仕切り内箱２は、内箱本体２ａと内箱本体２ａを碁盤目状に区画する区画板２ｂとを有しており、区画板２ｂは、内箱本体２ａの平らな板状の底部２ａ’から、略垂直に、内箱本体２ａの途中まで延在している。
【０００３】
【発明が解決しようとする課題】
上述した従来の中仕切り付き保冷・保温容器においては、内箱本体２ａの底部２ａ’と区画板２ｂ及び内箱本体２ａの底部２ａ’と内箱本体２ａの周壁２ａ”とにより形成される隅部２ｃのアールが小さいために、この部分の洗浄性が悪いという問題があった。
【０００４】
また、隅部２ｃのアールが小さいために、内箱本体２ａの底部２ａ’と周壁２ａ”と区画板２ｂ及び内箱本体２ａの底部２ａ’と区画板２ｂとにより区画される区画空間２ｄに収容される壜や缶や紙パック等の収容物Ｐと隅部２ｃとの間に大きな空間３ができ、従って、収容物Ｐの保冷・保温効率が悪いという問題があった。
【０００５】
更に、内箱本体２ａの底部２ａ’と区画板２ｂとの交差部２ｅの垂直断面形状が、図８に示されているように、略三角形状に形成されており、この部分の肉厚が、他の部分に比べ厚いので、射出成形により一体成形された内箱２の冷却過程において、この部分の収縮率が大きく、従って、一体成形された内箱２が変形し易いという問題がある。特に、このような肉厚の相違に起因する収縮差が起こると、区画板２ｂが波状に変形し、従って、区画空間２ｄが変形することになり、収容物Ｐがスムースに区画空間２ｄに収容できないという問題が起こる。
【０００６】
本発明の目的は、上述した従来の中仕切り付き保冷容器が有する課題を解決することにある。
【０００７】
【課題を解決するための手段】
本発明は、上記のような目的を達成するために、合成樹脂で一体に成形された外箱と、断熱材を介して外箱内に収納された、同じく、合成樹脂で一体に成形された中仕切り内箱とからなる中仕切り付き保冷・保温容器において、第１には、収容物が収容される区画空間を、角柱状空間部とほぼ逆角錐台状空間部とにより構成するとともに、区画空間を構成する内箱本体の周壁、区画板及び区画底部の肉厚を、ほぼ同じ肉厚に形成したものであり、第２には、区画底部を形成する傾斜筒部と水平底部との間に存在する彎曲部分が、区画空間に収容される収容物の下部角部にほぼ沿うように、彎曲部分の曲率半径を大きくしたものである。
【０００８】
【実施例】
以下に、本発明の中仕切り付き保冷容器の実施例について説明するが、本発明の趣旨を越えない限り、何ら、本実施例に限定されるものではない。
【０００９】
保温・保冷容器Ｂは、合成樹脂で一体に成形された外箱１０と、発泡材等の断熱材１１を介して外箱１０内に収納された、同じく、合成樹脂で一体に成形された中仕切り内箱１２とから構成されている。外箱１０と中仕切り内箱１２とは、外箱１０の上端に形成された周溝１０ａに、中仕切り内箱１２の上端から水平方向外側に延在する水平部１２ａの先端から下方に垂下された垂直部１２ｂを挿入するとともに、この部分を、高周波溶着等の適当な手段により溶着することにより、また、外箱１０の底部１０ａに突設された適当数の筒部１０ｂの上端と中仕切り内箱１２の底部１２ｃの下面とを、同じく、高周波溶着等の適当な手段により溶着することにより、合体されるように構成されている。
【００１０】
中仕切り内箱１２は、外箱１０と略同じ高さを有する内箱本体１２’と、内箱本体１２’を碁盤目状に区画する区画板１２”とを有しており、内箱本体１２’の角部に位置する周壁１２ｄと２枚の区画板１２”とにより囲まれて隅部に位置する区画空間Ｓ１が形成され、また、内箱本体１２’の周壁１２ｄと３枚の区画板１２”とにより囲まれて隅部間に位置する区画空間Ｓ２が形成され、更に、４枚の区画板２ｂにより囲まれて中央領域に位置する区画空間Ｓ３が形成される。なお、隅部に位置する区画空間Ｓ１、隅部間に位置する区画空間Ｓ２及び中央領域に位置する区画空間Ｓ３を、単に、区画空間Ｓともいう。
【００１１】
より具体的には、上述した区画空間Ｓは、図６に示されているように、内箱本体１２’の周壁１２ｄの垂直部或いは区画板１２”の垂直部により囲まれて形成される角柱状空間部Ｓ’及び内箱本体１２’の周壁１２ｄの垂直部下端或いは区画板１２”の垂直部下端から、内側に収斂するように傾斜して形成される傾斜筒部１２ｅ’と傾斜筒部１２ｅ’の下端を連結する水平底部１２ｅ”とにより囲まれたほぼ逆角錐台状空間部Ｓ”とから構成されており、角柱状空間部Ｓ’を構成する内箱本体１２’の周壁１２ｄと区画板１２”及びほぼ逆角錐台状空間部Ｓ”を構成する傾斜筒部１２ｅ’と水平底部１２ｅ”は、ほぼ同じ肉厚に形成されている。
【００１２】
上述したように構成されている中仕切り内箱１２の底部１２ｃは、図３に示されているように、縦横に連続して突設された、傾斜筒部１２ｅ’と水平底部１２ｅ”とからなるほぼ逆角錐台状の区画底部１２ｅにより構成されており、隣接する区画底部１２ｅ間には、ほぼ逆Ｖ状の溝１３が走っている。そして、複数のほぼ逆角錐台状の区画底部１２ｅにより構成される中仕切り内箱１２の底部１２ｃの肉厚は、ほぼ一定であり、且つ、内箱本体１２’の周壁１２ｄ及び区画板１２”の肉厚と、ほぼ同じに形成されている。
【００１３】
区画空間Ｓを構成する内箱本体１２’の周壁１２ｄ、区画板１２”及び傾斜筒部１２ｅ’と水平底部１２ｅ”とからなる区画底部１２ｅの肉厚を、ほぼ同じに形成したので、射出成形により一体成形された中仕切り内箱１２の冷却過程において、中仕切り内箱１２の各部における収縮率がほぼ一定になるので、中仕切り内箱１２が、肉厚の相違に起因する収縮差を起すようなことがなく、従って、変形のない中仕切り内箱１２を成形することができる。
【００１４】
また、本実施例の傾斜筒部１２ｅ’と水平底部１２ｅ”とからなる区画底部１２ｅにおいては、傾斜筒部１２ｅ’と水平底部１２ｅ”との間に存在する彎曲部分１２ｆの曲率半径Ｒ１が大きく構成されている。例えば、区画空間Ｓに収容される牛乳瓶Ｍの下部角部ｍ１が、傾斜筒部１２ｅ’と水平底部１２ｅ”との間に存在する彎曲部分１２ｆにほぼ沿うように、彎曲部分１２ｆの曲率半径Ｒ１を大きくすることにより、区画空間Ｓの彎曲部分１２ｆと牛乳瓶Ｍの下部角部ｍ１との間に、従来のように大きな空間３ができるようなことがなく、従って、牛乳瓶Ｍの保冷・保温効率が向上する。
【００１５】
更に、彎曲部分１２ｆの曲率半径Ｒ１を大きくすることにより、この部分に溜まったごみ等を容易に除去することができ、従って、この部分の洗浄性が向上する。
【００１６】
なお、上述した実施例には、区画板１２”が、内箱本体１２’の底部１２ｃから、略垂直に、内箱本体１２’の途中まで延在している例が示されているが、必要に応じて、中仕切り内箱１２の水平部１２ａまで延在することもできる。
【００１７】
【発明の効果】
本発明は、以上説明したように構成されているので、以下に記載されるような効果を奏するものである。
【００１８】
中仕切り内箱の各部における収縮率がほぼ一定になるので、中仕切り内箱が、肉厚の相違に起因する収縮差を起すようなことがなく、従って、変形のない中仕切り内箱を成形することができる。
【００１９】
区画底部を形成する傾斜筒部と水平底部との間に存在する彎曲部分が、区画空間に収容される収容物の下部角部にほぼ沿うように、彎曲部分の曲率半径を大きくしたので、区画空間の彎曲部分と収容物の下部角部との間に、従来のように大きな空間ができるようなことがなく、従って、収容物の保冷・保温効率が向上する。
【００２０】
彎曲部分の曲率半径を大きくすることにより、この部分に溜まったごみ等を容易に除去することができ、従って、この部分の洗浄性が向上する。
【図面の簡単な説明】
【図１】図１は本発明の中仕切り付き保冷・保温容器の斜視図である。
【図２】図２は本発明の中仕切り付き保冷・保温容器の平面図である。
【図３】図３は本発明の中仕切り付き保冷・保温容器を構成する内箱本体の斜視図である。
【図４】図４は図２のＩ−Ｉ線に沿った垂直断面図である。
【図５】図５は図２のII−II線に沿った垂直断面図である。
【図６】図６は本発明の中仕切り付き保冷・保温容器の１つの区画空間の斜視図である。
【図７】図７は従来の中仕切り付き保冷・保温容器の平面図である。
【図８】図８は図７のＩ−Ｉ線に沿った垂直断面図である。
【符号の説明】
Ｂ・・・・・・中仕切り付き保冷・保温容器
Ｓ・・・・・・区画空間
１０・・・・・外箱
１１・・・・・断熱材
１２・・・・・中仕切り内箱
１２’・・・・区画板
【図１】
0004116743.tif 000002
【図２】
0004116743.tif 000003
【図３】
0004116743.tif 000004
【図４】
0004116743.tif 000005
【図５】
0004116743.tif 000006
【図６】
0004116743.tif 000007
【図７】
0004116743.tif 000008
【図８】
0004116743.tif 000009